(57)【要約】【課題】  感光体ドラムから静電搬送ベルトへのトナーの転移を軽減する。【解決手段】  静電潜像が形成される感光体ドラム１と、感光体ドラム１を帯電する帯電装置２と、帯電した感光体ドラム１を露光し静電潜像を形成するスキャナ３と、静電潜像をトナー像として現像する現像装置４と、トナー像を転写材上に転写し搬送する静電搬送ベルト９と、を備え、スキャナ３は、感光体ドラム１の非画像領域を露光する。【選択図】  図３
2006221048.tif 000002
【特許請求の範囲】
【請求項１】
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記像担持体の非画像領域を露光することを特徴とする画像形成装置。
【請求項２】
前記非画像領域は、前記像担持体と前記搬送部材とが接触する部位であることを特徴とする請求項１に記載の画像形成装置。
【請求項３】
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記像担持体が前記転写材と接触する領域より前記像担持体の長手方向外側の領域を露光することを特徴とする画像形成装置。
【請求項４】
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記転写材上にトナー像が転写される際に前記搬送部材と接触する前記像担持体の領域を露光することを特徴とする画像形成装置。
【請求項５】
前記接触する領域は、前記現像手段の現像可能幅よりも長手方向外側であることを特徴とする請求項４に記載の画像形成装置。
【請求項６】
湿度情報を検知する湿度検知手段と、
前記湿度情報に基づいて前記露光手段の露光量を制御する制御手段と、
を備えることを特徴とする請求項１乃至５のいずれかに記載の画像形成装置。
【請求項７】
前記現像手段の寿命と関連付けされた寿命情報を検知し、前記寿命情報に基づいて前記露光手段の露光量を制御することを特徴とする請求項１乃至６のいずれかに記載の画像形成装置。
【請求項８】
前記寿命情報は、前記現像手段が有する現像剤担持体の回転時間、前記画像形成装置の画像形成回数、前記転写材の通紙枚数の少なくともいずれかであることを特徴とする請求項７に記載の画像形成装置。
【請求項９】
前記寿命情報を記憶する記憶手段を前記現像手段に備えることを特徴とする請求項７又は８に記載の画像形成装置。
【請求項１０】
前記記憶手段は、接触式又は非接触式の不揮発性メモリであることを特徴とする請求項９に記載の画像形成装置。
【請求項１１】
前記現像手段を有するプロセスカートリッジを着脱可能であることを特徴とする請求項１乃至１０のいずれかに記載の画像形成装置。
【請求項１２】
前記像担持体と前記帯電手段と前記露光手段と前記現像手段とを複数組備え、前記転写材上でトナー像を順次重ね合わせて多色画像を形成することを特徴とする請求項１乃至１１のいずれかに記載の画像形成装置。
【発明の詳細な説明】
【技術分野】
【０００１】
本発明は、電子写真方式を用いた、例えば複写機、プリンタ等の電子写真画像形成装置に関する。
【背景技術】
【０００２】
電子写真方式の画像形成装置においては、像担持体上に形成した静電潜像を、現像装置によりトナー像として可視化することを行っている。
【０００３】
このような現像装置として、例えば、非磁性一成分接触方式、磁性一成分非接触方式、磁性二成分方式等の現像装置が提案され実用化されている。上記現像装置においては、使用を続けるうちにカブリと呼ばれる現象が発生する場合がある。カブリとは、通常、帯電性の低いトナーが現像ローラから感光体ドラム上の帯電電位に対して転移する現象を示す。
【０００４】
従って、上記現像装置を有する画像形成装置においてカブリが発生すると、感光体ドラム上のカブリトナーが、転写材（例えば、紙やＯＨＰ用シート）の白地部や転写材を搬送する搬送部材（例えば、搬送ベルト）に転移する場合がある。特に、幅の狭い転写材、例えば、封筒、はがき等に画像形成する場合、感光体ドラムと搬送ベルトが直接接触するため、カブリトナーが直接搬送ベルトに転移する。
【０００５】
そのため、カブリトナーによる汚れが蓄積した搬送ベルトをそのまま使用し続けると、例えば、上述したような幅の狭い封筒を通紙して画像形成した直後に、幅の広いＡ４定形紙を通紙すると、カブリトナーによる汚れが搬送ベルトと接触するＡ４定形紙の裏面を汚す場合がある。
【０００６】
そこで、搬送ベルト上のカブリトナーを除去するためのベルトクリーニング手段を設けた構成が知られている。
【０００７】
また、特許文献１には、クリーニングバイアスを印加することで、搬送ベルト上の不要なトナーを感光体ドラムを介して感光体ドラムに当接しているクリーニング手段に回収させる構成が開示されている。そして、このようなベルトクリーニングシーケンスを、転写材のサイズが異なる毎に、あるいは、所定の通紙枚数において定期的に行うことで、搬送ベルト上のカブリトナーを除去する。
【特許文献１】特開２０００−３３８８２１号公報
【発明の開示】
【発明が解決しようとする課題】
【０００８】
しかしながら、ベルトクリーニング手段を用いる構成の場合、搬送ベルト上から除去されたカブリトナーを収容する廃トナーボックスが必要であり、廃トナーボックスがトナーで一杯になった場合、ユーザーによる廃トナーボックスの交換や廃トナーボックスの廃棄が必要となる。
【０００９】
一方、ベルトクリーニングシーケンスには所定の時間がかかるため、所定の通紙枚数において定期的に実行する場合には、画像形成装置のスループット（単位時間あたりの画像形成枚数）が低下することになる。また、転写材のサイズが異なる毎にシーケンスを実行した場合においても、待ち時間が発生する。
【００１０】
本発明は、上記従来技術を鑑みなされたもので、その目的とするところは像担持体から搬送部材へのトナーの転移を軽減することが可能な画像形成装置を提供することにある。
【００１１】
また、本発明の他の目的は、像担持体の非画像領域におけるカブリトナーの発生を軽減することが可能な画像形成装置を提供することにある。
【課題を解決するための手段】
【００１２】
上記目的を達成するために本発明にあっては、
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記像担持体の非画像領域を露光することを特徴とする。
【００１３】
また、本発明の他の態様にあっては、
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記像担持体が前記転写材と接触する領域より前記像担持体の長手方向外側の領域を露光することを特徴とする。
【００１４】
また、本発明の他の態様にあっては、
静電潜像が形成される像担持体と、
前記像担持体を帯電する帯電手段と、
前記帯電した像担持体を露光し静電潜像を形成する露光手段と、
前記静電潜像をトナー像として現像する現像手段と、
前記トナー像を転写材上に転写し搬送する搬送部材と、を備え、
前記露光手段は、前記転写材上にトナー像が転写される際に前記搬送部材と接触する前記像担持体の領域を露光することを特徴とする。
【発明の効果】
【００１５】
以上説明したように、本発明によれば、像担持体から搬送部材へのトナーの転移を軽減することが可能となる。また、像担持体の非画像領域におけるカブリトナーの発生を軽減することが可能となる。
【発明を実施するための最良の形態】
【００１６】
以下に図面及び実施例を参照して、この発明を実施するための最良の形態を例示的に詳しく説明する。ただし、この実施例に記載されている構成部品の寸法、材質、形状、その相対配置などは、特に特定的な記載がない限りは、この発明の範囲をそれらのみに限定する趣旨のものではない。また、以下の説明で一度説明した部材についての材質、形状などは、特に改めて記載しない限り初めの説明と同様のものである。
【実施例１】
【００１７】
（画像形成装置の概略構成）
図１は実施例１に係る画像形成装置の概略断面図である。本実施例に係る画像形成装置は、４色フルカラー画像を形成可能なプリンタである。
【００１８】
図１に示す画像形成装置Ａは、垂直方向に並設された４個の像担持体としての感光体ドラム１（１Ａ、１Ｂ、１Ｃ、１Ｄ）を備える。この感光体ドラム１は、矢印の方向（時計回り）に不図示の駆動手段により回転駆動される。感光体ドラム１の周囲には、その回転方向に従って順に、感光体ドラム１の表面を均一に帯電するための、帯電装置２（２Ａ、２Ｂ、２Ｃ、２Ｄ）、画像情報に基づきレーザを照射し、感光体ドラム１に静電潜像を形成する露光手段としてのスキャナ３（３Ａ、３Ｂ、３Ｃ、３Ｄ）、静電潜像をトナー像として現像する現像装置４（４Ａ、４Ｂ、４Ｃ、４Ｄ）、感光体ドラム１上のトナー像を転写材５に転写し搬送する静電搬送転写装置６、転写後の感光体ドラム１表面に残った転写残トナーを除去するクリーナ７（７Ａ、７Ｂ、７Ｃ、７Ｄ）等が配設されている。
【００１９】
本実施例においては、感光体ドラム１、帯電装置２、現像装置４、クリーナ７は一体的にカートリッジ化され、プロセスカートリッジ８（８Ａ、８Ｂ、８Ｃ、８Ｄ）を形成し、画像形成装置Ａに着脱可能なものとなっている。
【００２０】
また、本実施例においては、プロセスカートリッジ８Ａ、８Ｂ、８Ｃ、８Ｄは全て同一形状を有しており、その中に内包されるトナーは、それぞれ、シアン、イエロー、マゼンタ、ブラックである。
【００２１】
全ての感光体ドラム１Ａ、１Ｂ、１Ｃ、１Ｄに対向し、接するように循環移動する搬送部材としての静電搬送ベルト９が配設されている。静電搬送ベルト９の厚さは５０〜２００μｍ、体積抵抗率１０Ｅ８〜１０Ｅ１４Ω・ｃｍ程度の、ＰｖｄＦ、ＥＴＦＥ、ポリアミド、ポリイミド、ＰＥＴ、ポリカーボネイト等の樹脂フィルムや、厚さ０．５〜２ｍｍ程度のゴムの基層上に樹脂層を用いたものを用いることができる。
【００２２】
ここで、体積抵抗率は、ＪＩＳ法Ｋ６９１１に準じた測定プローブを用い、ＡＤＶＡＮＴＥＳＴ社製高抵抗計Ｒ８３４０に１００Ｖを印加して得た測定値を、静電搬送ベルトの厚みで規格化したものである。
【００２３】
静電搬送ベルト９の内側に当接し、４個の感光体ドラム１Ａ、１Ｂ、１Ｃ、１Ｄに対応して、転写部材としての転写ローラ１０（１０Ａ、１０Ｂ、１０Ｃ、１０Ｄ）が並設されている。
【００２４】
これら転写ローラ１０は、感光体ドラム１と対向し転写部を形成する。また、これら転写ローラ１０から静電搬送ベルト９を介して正極性の電荷が転写材５に印加され、この電荷による電界により、感光体ドラム１に接触する転写材５に、感光体ドラム１上の負極性トナーが転写される。本実施例においては、転写ローラ１０Ａ、１０Ｂ、１０Ｃ、及び１０Ｄに、転写バイアスＶｔｒとして、各々Ｖｔｒ＝＋１２００Ｖが印加される。
【００２５】
定着装置１１は、転写材５に転写された複数のトナー像を定着させる。感光体ドラム１上のトナー像を転写した転写材５は、定着装置１１を通過する際に、熱及び圧力を印加される。これにより、複数色のトナー像が転写材５表面に永久定着される。
【００２６】
（プロセスカートリッジの概略構成）
図２は、実施例１に係るプロセスカートリッジの概略断面図である。
【００２７】
感光体ドラム１は、直径３０ｍｍのアルミシリンダの外周面に感光層を塗布して構成される剛体であり、図中矢印Ｒ１方向に回転駆動される。
【００２８】
帯電装置２は、ローラ状に形成された導電性ローラであり、このローラを感光体ドラム１に当接させ帯電バイアスを印加することで、感光体ドラム１表面を、帯電電位（暗部電
位）Ｖｄ＝−７００Ｖに帯電する。そして、スキャナ３から各色の画像信号に対応したレーザ光が、均一帯電された感光体ドラム１上に照射される。レーザ光が照射された感光体ドラム１は、選択的に露光され、露光された部位が露光電位（明部電位）Ｖｌ＝−１００Ｖとなり、静電潜像が形成される。
【００２９】
次に、現像装置４（４Ａ、４Ｂ、４Ｃ、４Ｄ）について説明する。
【００３０】
現像容器２１は一成分現像剤として負帯電性の非磁性トナー２２を収容する。現像装置４は、現像容器２１内の長手方向に延在する開口部に位置し、感光体ドラム１と対向配置された現像剤担持体としての現像ローラ２３を備え、感光体ドラム１上の静電潜像をトナーにより現像し可視化する。
【００３１】
本実施例における負帯電性の非磁性トナー２２は、疎水性シリカを１．０ｗｔ％外添されており、粒度分布に優れた略球形化トナーである。
【００３２】
弾性を有する現像ローラ２３は、直径１６ｍｍであり、上記開口部にて、図に示す右略半周を現像容器２１に突入し、左略半周面を現像容器２１から露出して配設されている。現像容器２１から露出した面は、現像装置４の左方に位置する感光体ドラム１に所定の侵入量となるように押圧、接触するように対向している。本実施例においては、感光体ドラム１に対して現像ローラ２３が５０μｍ侵入し、接触する。
【００３３】
現像ローラ２３は矢印Ｒ２方向に回転駆動される。その表面は、トナー２２との摺擦確立を高め、かつ、トナー２２の搬送を良好に行うため、適度な凹凸を有している。本実施例における現像ローラ２３は、シリコンゴムを基層とし、アクリル・ウレタン系ゴムを表面にコートした二層構成であり、Ｒｚ＝１０μｍの粗さと、１０Ｅ４〜１０Ｅ６Ωの抵抗を有している。本実施例においては、現像ローラ２３には、現像バイアスＶｄｃとして、Ｖｄｃ＝−４００Ｖの直流電圧が印加される。
【００３４】
現像ローラ２３の下方には、弾性ローラ２４が当接され、回転可能に支持されている。弾性ローラ２４は、スポンジ構造や、芯金上にレーヨン、ナイロン等の繊維を植毛したファーブラシ構造を採用したものが、現像ローラ２３へのトナー供給及び未現像トナーの剥ぎ取りの点から好ましい。本実施例においては、直径１４ｍｍのウレタンスポンジローラであり、現像ローラ２３と同一方向に回転駆動する。
【００３５】
現像ローラ２３の上方には、弾性を有する現像ブレード２５が、支持板金に支持され、自由端側の先端近傍を現像ローラ２３の外周面に面接触にて当接するように設けられている。当接方向としては、当接部に対して自由端側の先端が、現像ローラ２３の回転方向上流側に位置するカウンター方向となっている。本実施例においては、厚さ１００μｍのリン青銅製の金属薄板を用いている。
【００３６】
弾性ローラ２４との摺擦により現像ローラ２３上に担持されたトナーは、現像ブレード２５との当接部を通過する際に、摩擦帯電により電荷付与され、かつ薄層に規制される。
【００３７】
クリーナ７は、現像装置４によって感光体ドラム１上に現像されたトナーが、転写材５に転写された後、転写されないで感光体ドラム１上に残った転写残トナーを除去するものである。
【００３８】
（カブリトナー）
次にカブリトナーについて説明する。感光体ドラム１上に形成された静電潜像を現像するために、現像装置４に設けられた現像ローラ２３及び弾性ローラ２４は回転駆動を繰り
返す。これにより、負帯電性の非磁性トナー２２は、現像ローラ２３と弾性ローラ２４との間において、若しくは現像ローラ２３と現像ブレード２５との間において摺擦が繰り返され、劣化し、負帯電性が極端に減少し、帯電性を持たないトナーへと変質する場合がある。
【００３９】
このような劣化トナーは、通常、負帯電性トナーが転移すべき感光体ドラム１に形成された静電潜像の露光電位（本実施例においてはＶｌ＝−１００Ｖ）ではなく、帯電電位（本実施例においてはＶｄ＝−７００Ｖ）に対して転移する。
【００４０】
ここで、本実施例における現像バイアスＶｄｃ＝−４００Ｖを固定とし、帯電電位Ｖｄを変化させた場合の、感光体ドラム上に転移するカブリトナー量の変化を図４に示す。
【００４１】
図４からわかるように、帯電電位を大きくする（現像バイアスＶｄｃとの差を小さくする）ことでカブリ量は減少する。本実施例では、帯電電位をＶｄ＝−５５０Ｖとすることでカブリの発生を抑制できる。つまり、現像バイアスであるＶｄｃ＝−４００Ｖと、帯電電位の差分を１５０Ｖとすることで、カブリトナーのドラム上への転移を抑制することができる。
【００４２】
さらに、帯電電位を大きくする手段の一つとして、本実施例においては、露光手段であるスキャナ３からのレーザ光を用いる方法について説明する。帯電電位を大きくする手段としては、これ以外にも別の露光手段を設けても良い。
【００４３】
図５は、帯電バイアスを印加することで、感光体ドラム１表面をＶｄ＝−７００Ｖに帯電した場合、感光体ドラム１表面を露光する単位面積あたりのレーザ光の光量を変化させたときの帯電電位Ｖｄの変化を示したものである。
【００４４】
横軸はドラム上単位面積あたりのレーザ光量（μＪ／ｃｍ２）であり、本実施例において静電潜像を形成する露光電位（Ｖｌ＝−１００Ｖ）は、レーザ光量として０．５μＪ／ｃｍ２であることを示している。また、本実施例において、帯電バイアスを印加しＶｄ＝−７００Ｖに帯電した後、レーザ光による露光を行い、帯電電位Ｖｄ＝−５５０Ｖとするためには、レーザ光量として０．１μＪ／ｃｍ２が必要であることがわかる。
【００４５】
（画像形成動作）
以上説明した本実施例の構成におけるプロセスカートリッジ及び画像形成装置を用いた画像形成動作について、特に、小サイズの封筒、ハガキ等の画像形成動作について説明する。
【００４６】
画像形成装置Ａは、パーソナルコンピュータ等のホスト１４（図１参照）に接続され、ホスト１４からのプリント要求信号を受け、画像データを受け取る。画像データは、不図示のコントローラ部によりシアン、イエロー、マゼンタ、ブラックの各色データに展開される。
【００４７】
封筒、ハガキ等の転写材５は給送部１５から分離給送され、レジストローラ１６で一旦停止する。そして、スキャナ３の立ち上がり、帯電装置２による感光体ドラム１の電位安定化を待ち、転写材５の記録位置と、各４色のトナー像の画像形成タイミングを同期させ、静電搬送転写装置６により搬送される。
【００４８】
そして、本実施例においては、第１色目であるシアンの画像形成がはじめに行われる。
【００４９】
感光体ドラム１Ａは、帯電装置２ＡによりＶｄ＝−７００Ｖに均一帯電される。スキャ
ナ３Ａにより、画像領域はシアン画像データに基づいたレーザ露光が行われ、かつ非画像領域は、レーザ光量として０．１μＪ／ｃｍ２の弱露光が行われる。弱露光された非画像領域は、Ｖｄ＝−５５０Ｖに均一帯電される。このように、スキャナ３により、感光体ドラム１の非画像領域を露光することで、非画像領域の帯電電位を大きくし、帯電電位と現像バイアス電位との差を小さくすることで、カブリトナーが非画像領域に転移しにくくなる。そのため、感光体ドラム１から静電搬送ベルト９へのカブリトナーの転移を軽減することが可能となり、転写材の裏面の汚れを防止又は軽減することができる。
【００５０】
図３は、実施例１に係る画像形成動作時の感光体ドラム表面電位を模式的に示した図である。通常、現像ローラ２３Ａ長手方向の現像剤担持領域長さは、画像形成装置で使用可能な最大の転写材（メディア）のサイズよりも長く、かつ、帯電装置２Ａ長手方向の有効帯電領域長さは、現像ローラ２３Ａの現像剤担持領域長さよりも長い。よって、弱露光するべき非画像領域とは、転写材の幅方向（搬送方向に対して直交する方向）の外側の領域であり、現像ローラの長手方向現像剤担持領域長さよりも外側であり、帯電装置２Ａの有効帯電領域長さと同じ、若しくはそれよりも短い領域となる。
【００５１】
シアントナーを内蔵した現像装置４Ａの現像ローラ２３Ａ上には、弾性ローラ２４Ａとの摺擦によりシアントナーが担持される。現像ローラ２３が回転駆動することにより、担持されたシアントナーは、現像ブレード２５Ａとの当接部を通過する。この際、摩擦帯電により電荷付与され、均一薄層に規制される。さらに、現像ローラ２３Ａ上に薄層形成されたシアントナー層は、感光体ドラム１Ａとの当接部（現像部）に搬送される。現像ローラ２３Ａには、現像バイアスとしてＶｄｃ＝−４００Ｖの直流電圧が印加される。この現像部において、シアントナー層は、現像バイアスにより感光体ドラム１Ａの静電潜像を現像し、シアントナー像として可視化する。
【００５２】
可視化された感光体ドラム１Ａ上のシアントナー像は、感光体ドラム１Ａの回転駆動により、対向する転写ローラ１０Ａとの転写部に搬送される。同時に静電搬送ベルト９により転写材５が、転写部に搬送される。転写ローラ１０Ａには、転写バイアスＶｔｒ＝１２００Ｖが印加される。これにより、感光体ドラム１Ａに接触する転写材５に、感光体ドラム１Ａ上のシアントナー像が転写される。
【００５３】
次に、本実施例において第２色目である、イエローの画像形成が行われる。
【００５４】
感光体ドラム１Ｂは、帯電装置２ＢによりＶｄ＝−７００Ｖに均一帯電される。スキャナ３Ｂにより、画像領域はイエロー画像データに基づいたレーザ露光が行われ、かつ非画像領域は、レーザ光量として０．１μＪ／ｃｍ２の弱露光が行われる。弱露光された非画像領域は、Ｖｄ＝−５５０Ｖに均一帯電される。
【００５５】
第１色目と同様のプロセスにより、感光体ドラム１Ｂの静電潜像を現像し、イエロートナー像として可視化され、感光体ドラム１Ｂの回転駆動により、対向する転写ローラ１０Ｂとの転写部に搬送される。
【００５６】
同時に静電搬送ベルト９により、シアントナー像を転写された転写材５が、転写部に搬送される。シアントナー像に重ね合わせて、イエロートナー像を転写する。
【００５７】
次に、本実施例において第３色目である、マゼンタの画像形成が行われる。
【００５８】
感光体ドラム１Ｃは、帯電装置２ＣによりＶｄ＝−７００Ｖに均一帯電される。スキャナ３Ｃにより、画像領域はマゼンタ画像データに基づいたレーザ露光が行われ、かつ非画像領域は、レーザ光量として０．１μＪ／ｃｍ２の弱露光が行われる。弱露光された非画
像領域は、Ｖｄ＝−５５０Ｖに均一帯電される。
【００５９】
第１色目、２色目と同様のプロセスにより、感光体ドラム１Ｃの静電潜像を現像し、マゼンタトナー像として可視化され、感光体ドラム１Ｃの回転駆動により、対向する転写ローラ１０Ｃとの転写部に搬送される。
【００６０】
同時に静電搬送ベルト９により、シアントナー像及びイエロートナー像が転写された転写材５が、転写部に搬送される。
【００６１】
シアントナー像及びイエロートナー像に重ね合わせ、マゼンタトナー像を転写する。
【００６２】
最後に、本実施例において第４色目である、ブラックの画像形成が行われる。
【００６３】
感光体ドラム１Ｄは、帯電装置２ＤによりＶｄ＝−７００Ｖに均一帯電される。スキャナ３Ｄにより、画像領域はブラック画像データに基づいたレーザ露光が行われ、かつ非画像領域は、レーザ光量として０．１μＪ／ｃｍ２の弱露光が行われる。弱露光された非画像領域は、Ｖｄ＝−５５０Ｖに均一帯電される。
【００６４】
上述と同様のプロセスにより、感光体ドラム１Ｄの静電潜像を現像し、ブラックトナー像として可視化され、感光体ドラム１Ｄの回転駆動により、対向する転写ローラ１０Ｄとの転写部に搬送される。
【００６５】
同時に静電搬送ベルト９により、シアントナー像、イエロートナー像及びマゼンタトナー像を転写された転写材５が、転写部に搬送される。
【００６６】
シアントナー像、イエロートナー像及びマゼンタトナー像と重ね合わせられたトナー像と重ね合わせて、ブラックトナー像を転写する。
【００６７】
このように、転写材５は静電搬送ベルト９に搬送されながら、順次、シアントナー像、イエロートナー像、マゼンタトナー像及びブラックトナー像が転写される。
【００６８】
４色のトナー像を転写された転写材５は、静電搬送ベルト９から分離され、定着装置１１により、永久定着され、機外に排出される。
【００６９】
上記画像形成装置において画像形成を行うことにより、感光体ドラムの非画像領域の電位を適正な値にすることでカブリの発生を抑止でき、像担持体から搬送部材へのトナーの転移を軽減することが可能となる。その結果、静電搬送ベルトのカブリトナーによる汚染を防止若しくは低減することができる。特に、サイズ幅の狭いハガキ、封筒を通紙した場合においても、静電搬送ベルトがカブリトナーで汚染されることを防止若しくは低減することができる。そのため、サイズ幅の狭いハガキや封筒に画像形成した直後に、サイズ幅の広いＡ４定形紙等を通紙してもその裏面を汚染することを防止若しくは低減することができる。
【００７０】
ここで、非画像領域とは、感光体ドラム１と静電搬送ベルト９とが接触する部位ということもできる。また、感光体ドラム１が転写材５と接触する領域より感光体ドラム１の長手方向外側の領域を露光しもよい。また、転写材５上にトナー像が転写される際に感光体ドラム１と静電搬送ベルト９とが接触する感光体ドラム１の領域を露光してもよい。
【００７１】
その結果、感光体ドラム１と静電搬送ベルト９が直接接触する領域に対応する感光体ドラム１を、露光手段であるスキャナ３により露光することでカブリの発生を抑止できる。
【００７２】
また、ベルトクリーニング手段を設けて搬送ベルト上のカブリを別途回収する必要がなく、簡易な構成の画像形成装置を提供することができる。また、ベルトクリーニングシーケンスによる生産性の低下がなく、ユーザビリティ上好ましい画像形成装置を提供することができる。
【実施例２】
【００７３】
以下に本発明の実施例２に係る画像形成装置について説明する。図６は実施例２に係る画像形成装置の概略断面図である。なお、実施例１で説明した画像形成装置と同様な構成、動作についての説明は省略する。
【００７４】
本実施例２に係る画像形成装置Ｂは、実施例１に係る画像形成装置Ａに、湿度情報を検知する湿度検知手段としての湿度センサ４０を設けている点が大きく異なる。
【００７５】
実施例１で説明したように、カブリトナーは、現像ローラ２３と弾性ローラ２４との間において、若しくは現像ローラ２３と現像ブレード２５との間において摺擦が繰り返されることにより、劣化し、負帯電性が極端に減少した、帯電性を持ちづらいトナーである。さらにトナーの帯電性は、その周囲環境に強く依存する。
【００７６】
そこで、画像形成装置の周囲環境の各湿度毎に、現像バイアス（Ｖｄｃ＝−４００Ｖ）を固定し帯電電位Ｖｄを変化させた場合にドラム上に転移するカブリ量の変化を図７に示す。
【００７７】
図７からわかるように、第１に、各相対湿度において帯電電位を大きくする（現像バイアスとの差を小さくする）ことで、カブリ量は減少する。第２に、相対湿度８０％ＲＨにおいては、帯電電位Ｖｄ＝−５００Ｖとすることで、つまり現像バイアスであるＶｄｃ＝−４００Ｖと帯電電位Ｖｄとの差分を１００Ｖとすることで、カブリトナーのドラム上への転移を抑制できる。相対湿度５０％ＲＨにおいては、帯電電位Ｖｄ＝−５５０Ｖとすることで、つまり現像バイアスであるＶｄｃ＝−４００Ｖと帯電電位Ｖｄとの差分を１５０Ｖとすることで、カブリトナーのドラム上への転移を抑制できる。相対湿度１０％ＲＨにおいては、帯電電位Ｖｄ＝−６５０Ｖとすることで、つまり現像バイアスであるＶｄｃ＝−４００Ｖと帯電電位Ｖｄとの差分を２５０Ｖとすることで、カブリトナーのドラム上への転移を抑制できる。
【００７８】
このように、画像形成装置の周囲環境、特に相対湿度によって、カブリの発生を抑制できる帯電電位は変化することがわかる。
【００７９】
そこで、本実施例においても、帯電電位を大きくする手段の一つとして、露光手段であるスキャナ３からのレーザ光を用いる方法を用いる。
【００８０】
そして、画像形成装置Ｂに設けた湿度センサ４０により検知された湿度情報によって、レーザ光量を変化制御させる。本実施例においては図８、図９に示すように、相対湿度に対してドラム面光量を一次式で変化させるよう、レーザ光量を変化させ、各相対湿度において所望の帯電電位を得ることができる。よって、各相対湿度環境下において、カブリの発生を抑制できる。
【００８１】
以上説明した本実施例の構成におけるプロセスカートリッジ及び画像形成装置を用いた画像形成動作は、主に実施例１と同様なため、特に実施例１と異なる点について説明する。
【００８２】
画像形成装置Ｂは、実施例１で説明した画像形成動作に先立ち、画像形成装置内部に設けられた湿度センサ４０により、周囲環境の湿度情報を検知する。その湿度情報に基づき、画像形成装置Ｂに備えられた制御手段（不図示）は、非画像領域のレーザ光量を算出し、露光量を制御する。本実施例においては、周囲環境の湿度検知結果が５０％の場合、図７、図８よりレーザ光量は０．１μＪ／ｃｍ２として算出される。
【００８３】
まず、本実施例において第１色目であるシアンの画像形成が行われる。
【００８４】
感光体ドラム１Ａは、帯電装置２ＡによりＶｄ＝−７００Ｖに均一帯電される。スキャナ３Ａにより、画像領域はシアン画像データに基づいたレーザ露光が行われ、かつ非画像領域には、検知結果に基づいたレーザ光量として、所定の０．１μＪ／ｃｍ２の弱露光が行われる。弱露光された非画像領域は、Ｖｄ＝−５５０Ｖに均一帯電される。
【００８５】
そして、実施例１と同様に、シアントナーを内蔵した現像装置４Ａの現像ローラ２３Ａ上には、弾性ローラ２４Ａとの摺擦によりシアントナーが担持される。現像ローラ２３が回転駆動することにより、担持されたシアントナーは、現像ブレード２５Ａとの当接部を通過する。この際、摩擦帯電により電荷付与され、均一薄層に規制される。さらに、現像ローラ２３Ａ上に薄層形成されたシアントナー層は、感光体ドラム１Ａとの当接部（現像部）に搬送される。現像ローラ２３Ａには、現像バイアスとしてＶｄｃ＝−４００Ｖの直流電圧が印加される。この現像部において、シアントナー層は、現像バイアスにより感光体ドラム１Ａの静電潜像を現像し、シアントナー像として可視化する。
【００８６】
可視化された感光体ドラム１Ａ上のシアントナー像は、感光体ドラム１Ａの回転駆動により、対向する転写ローラ１０Ａとの転写部に搬送される。同時に静電搬送ベルト９により転写材５が、転写部に搬送される。転写ローラ１０Ａには、転写バイアスＶｔｒ＝１２００Ｖが印加される。これにより、感光体ドラム１Ａに接触する転写材５に、感光体ドラム１Ａ上のシアントナー像が転写される。
【００８７】
その後、イエロー、マゼンタ、ブラックの各色についても実施例１と同様に画像形成が行われる。その際、各感光ドラム１Ｂ，１Ｃ，１Ｄの非画像領域は、湿度センサ４０による検知結果に基づいたレーザ光量として、所定の０．１μＪ／ｃｍ２の弱露光が行われる。弱露光された非画像領域は、Ｖｄ＝−５５０Ｖに均一帯電される。
【００８８】
４色のトナー像を転写された転写材５は、静電搬送ベルト９から分離され、定着装置１１により定着され、機外に排出される。
【００８９】
上記画像形成装置Ｂにおいて画像形成を行うことにより、画像形成装置の周囲環境が変動した場合であっても感光体ドラムの非画像領域の電位を適正な値にすることでカブリの発生を抑止でき、像担持体から搬送部材へのトナーの転移を軽減することが可能となる。その結果、静電搬送ベルトのカブリトナーによる汚染を防止若しくは低減することができる。特に、サイズ幅の狭いハガキ、封筒を通紙した場合においても、静電搬送ベルトがカブリトナーで汚染されることを防止若しくは低減することができる。そのため、サイズ幅の狭いハガキや封筒に画像形成した直後に、サイズ幅の広いＡ４定形紙等を通紙してもその裏面を汚染することを防止若しくは低減することができる。
【００９０】
また、ベルトクリーニング手段を設けて搬送ベルト上のカブリを別途回収する必要がなく、簡易な構成の画像形成装置を提供することができる。また、ベルトクリーニングシーケンスによる生産性の低下がなく、ユーザビリティ上好ましい画像形成装置を提供することができる。
【実施例３】
【００９１】
以下に本発明の実施例３に係る画像形成装置について説明する。図１０は実施例３に係る画像形成装置の概略断面図である。なお、実施例１、実施例２で説明した画像形成装置と同様な構成、動作についての説明は省略する。
【００９２】
本実施例に係る画像形成装置Ｃは、実施例１に係る画像形成装置Ａに記憶手段５０を設けている点が大きく異なる。
【００９３】
図に示す本実施例のプロセスカートリッジ８Ａ、８Ｂ、８Ｃ、８Ｄには、それぞれ５０Ａ、５０Ｂ、５０Ｃ、５０Ｄで示される記憶手段５０が現像装置４Ａ，４Ｂ，４Ｃ，４Ｄ近傍に設けられている。プロセスカートリッジ８に搭載する記憶手段５０には不揮発性メモリを使用した。
【００９４】
画像形成装置Ｃ本体と記憶手段５０と機械的に接続することなく通信することが可能な非接触式メモリであるため、画像形成装置側の記憶手段５０の対向位置には、書き込み読み取り手段５１（５１Ａ，５１Ｂ，５１Ｃ，５１Ｄ）がそれぞれ設けられている。その他、記憶手段としては電源を備えた揮発性メモリ等も使用可能である。プロセスカートリッジに設けられている記憶手段５０の容量としては記憶する情報量に応じて適当なものを選ぶことができる。また、記憶手段５０は、接触式であっても構わない。
【００９５】
本実施例に係るプロセスカートリッジ８に配設した記憶手段５０には、現像手段の寿命と関連付けされた寿命情報として、画像形成装置Ｃの画像形成回数、転写材５の通紙枚数、現像ローラ２３の回転数又は回転時間のうち、現像ローラ回転時間を検知し記憶する。
【００９６】
実施例１及び実施例２で説明したように、カブリトナーは、感光体ドラム１上に形成された静電潜像を現像するために、現像ローラ２３と弾性ローラ２４との間において、若しくは現像ローラ２３と現像ブレード２５との間において摺擦が繰り返されることにより、劣化し、負帯電性が極端に減少した、帯電性を持ちづらいトナーである。
【００９７】
よって、現像手段の寿命情報である、現像ローラ２３の回転時間の増加に伴い、つまり、現像ローラ２３と弾性ローラ２４との間において、若しくは現像ローラ２３と現像ブレード２５との間において摺擦が繰り返される時間が長くなるに伴い、カブリトナーが発生しやすくなる。
【００９８】
そこで、現像ローラの回転時間毎に、現像バイアス（Ｖｄｃ＝−４００Ｖ）を固定とし、帯電電位Ｖｄを変化させた場合にドラム上に転移するカブリ量の変化を図１１に示す。
【００９９】
図１１からわかるように、第１に、各現像ローラ回転時間において、帯電電位を大きくする（現像バイアスとの差を小さくする）ことで、カブリ量は減少する。第２に、現像ローラ回転時間が１００００ｓｅｃの場合においては、帯電電位をＶｄ＝−６５０Ｖとすることで、つまり現像バイアスであるＶｄｃ＝−４００Ｖと帯電電位Ｖｄとの差分を２５０Ｖとすることとすることで、カブリの発生を抑制でき、カブリトナーのドラム上への転移を抑制できる。現像ローラ回転時間が５００００ｓｅｃの場合においては、帯電電位をＶｄ＝−６００Ｖとすることで、つまり現像バイアスであるＶｄｃ＝−４００Ｖと帯電電位Ｖｄとの差分を２００Ｖとすることで、カブリの発生を抑制でき、カブリトナーのドラム上への転移を抑制できる。現像ローラ回転時間が１０００００ｓｅｃの場合においては、帯電電位をＶｄ＝−５５０Ｖとすることで、つまり現像バイアスであるＶｄｃ＝−４００Ｖと帯電電位Ｖｄとの差分を１５０Ｖとすることで、カブリの発生を抑制でき、カブリトナーのドラム上への転移を抑制できる。
【０１００】
このように、現像手段の寿命の指標となる現像ローラの回転時間によって、カブリの発生を抑制できる帯電電位は変化することがわかる。
【０１０１】
現像ローラ回転時間は、不図示の画像形成装置側駆動モータの駆動時間から容易に算出できるものであり、また各プロセスカートリッジ毎に算出できる。算出された現像ローラ回転時間は、所定のタイミングをもって画像形成装置側の書き込み読み取り手段５１により、記憶手段５０に書き込まれる。
【０１０２】
画像形成装置Ｃは、プロセスカートリッジ８に設けた記憶手段５０に書き込まれた現像ローラ回転時間を、書き込み読み取り手段５１により読み取る。そして、画像形成装置Ｃに設けた不図示の制御手段により、読み込んだ現像ローラ回転時間に基づいて各スキャナ３からのレーザ光による露光量を設定し、非画像領域の帯電電位を制御する。図１２は、実施例３に係る画像形成装置における露光量と現像ローラ回転時間との関係を示すグラフである。
【０１０３】
記憶手段５０をプロセスカートリッジ８に設けたことにより、各々のプロセスカートリッジに配設された現像手段の寿命を、個別に、容易に知ることが可能となる。そのため、プロセスカートリッジを交換した場合においても、適切な帯電電位を制御できる。
【０１０４】
以上説明した本実施例の構成におけるプロセスカートリッジ及び画像形成装置を用いた画像形成動作は、主に実施例１と同様なため、特に実施例１と異なる点について説明する。
【０１０５】
画像形成装置Ｃは、実施例１で説明した画像形成動作に先立ち、プロセスカートリッジに設けられた記憶手段５０に記憶された各プロセスカートリッジの現像ローラ回転時間を、書き込み読み取り手段５１により読み取る。画像形成装置Ｃは、読み取った現像ローラ回転時間の情報をもとに、各プロセスカートリッジにおける非画像領域のレーザ光量を算出する。
【０１０６】
まず、本実施例において第１色目であるシアンの画像形成が行われる。以下では、シアンの現像ローラ２３Ａの回転時間が１００００ｓとして記憶手段５０Ａに記憶されている場合について説明する。
【０１０７】
感光体ドラム１Ａは、帯電装置２ＡによりＶｄ＝−７００Ｖに均一帯電される。スキャナ３Ａにより、画像領域はシアン画像データに基づいたレーザ露光が行われ、かつ非画像領域は、検知結果に基づいたレーザ光量として、図１２に示すグラフから算出される所定の０.０２５μＪ／ｃｍ２の光量で弱露光が行われる。弱露光された非画像領域は、Ｖｄ
＝−６５０Ｖに均一帯電される。
【０１０８】
そして、実施例１と同様に、シアントナーを内蔵した現像装置４Ａの現像ローラ２３Ａ上には、弾性ローラ２４Ａとの摺擦によりシアントナーが担持される。現像ローラ２３が回転駆動することにより、担持されたシアントナーは、現像ブレード２５Ａとの当接部を通過する。この際、摩擦帯電により電荷付与され、均一薄層に規制される。さらに、現像ローラ２３Ａ上に薄層形成されたシアントナー層は、感光体ドラム１Ａとの当接部（現像部）に搬送される。現像ローラ２３Ａには、現像バイアスとしてＶｄｃ＝−４００Ｖの直流電圧が印加される。この現像部において、シアントナー層は、現像バイアスにより感光体ドラム１Ａの静電潜像を現像し、シアントナー像として可視化する。
【０１０９】
可視化された感光体ドラム１Ａ上のシアントナー像は、感光体ドラム１Ａの回転駆動により、対向する転写ローラ１０Ａとの転写部に搬送される。同時に静電搬送ベルト９によ
り転写材５が、転写部に搬送される。転写ローラ１０Ａには、転写バイアスＶｔｒ＝１２００Ｖが印加される。これにより、感光体ドラム１Ａに接触する転写材５に、感光体ドラム１Ａ上のシアントナー像が転写される。
【０１１０】
次に、本実施例において第２色目であるイエローの画像形成が行われる。以下では、イエローの現像ローラ２３Ｂの回転時間が１００００ｓとして記憶手段５０Ｂに記憶されている場合について説明する。
【０１１１】
感光体ドラム１Ｂは、帯電装置２ＢによりＶｄ＝−７００Ｖに均一帯電される。スキャナ３Ｂにより、画像領域はイエロー画像データに基づいたレーザ露光が行われ、かつ非画像領域は、検知結果に基づいたレーザ光量として、図１２に示すグラフから算出される所定の０.０２５μＪ／ｃｍ２の光量で弱露光が行われる。弱露光された非画像領域は、Ｖ
ｄ＝−６５０Ｖに均一帯電される。
【０１１２】
第１色目と同様のプロセスにより、感光体ドラム１Ｂの静電潜像を現像し、イエロートナー像として可視化され、感光体ドラム１Ｂの回転駆動により、対向する転写ローラ１０Ｂとの転写部に搬送される。同時に静電搬送ベルト９により、シアントナー像を転写された転写材５が、転写部に搬送される。転写ローラ１０Ｂには、転写バイアスＶｔｒ＝１２００Ｖが印加される。これにより、感光体ドラム１Ｂに接触する転写材５上のシアントナー像に重ね合わせて、イエロートナー像が転写される。
【０１１３】
次に、本実施例において第３色目であるマゼンタの画像形成が行われる。以下では、マゼンタの現像ローラ２３Ｃの回転時間が５００００ｓとして記憶手段５０Ｃに記憶されている場合について説明する。
【０１１４】
感光体ドラム１Ｃは、帯電装置２ＣによりＶｄ＝−７００Ｖに均一帯電される。スキャナ３Ｃにより、画像領域はマゼンタ画像データに基づいたレーザ露光が行われ、かつ非画像領域は、検知結果に基づいたレーザ光量として、図１２に示すグラフから算出される所定の０.０５μＪ／ｃｍ２の光量で弱露光が行われる。弱露光された非画像領域は、Ｖｄ
＝−６００Ｖに均一帯電される。
【０１１５】
第１色目、２色目と同様のプロセスにより、感光体ドラム１Ｃの静電潜像を現像し、マゼンタトナー像として可視化され、感光体ドラム１Ｃの回転駆動により、対向する転写ローラ１０Ｃとの転写部に搬送される。同時に静電搬送ベルト９により、シアントナー像及びイエロートナー像を転写された転写材５が、転写部に搬送される。転写ローラ１０Ｃには、転写バイアスＶｔｒ＝１２００Ｖが印加される。これにより、感光体ドラム１Ｃに接触する転写材５上のシアントナー及びイエロートナーに重ね合わせて、マゼンタトナー像が転写される。
【０１１６】
最後に、本実施例において第４色目であるブラックの画像形成が行われる。以下では、ブラックの現像ローラ２３Ｄの回転時間が１０００００ｓとして記憶手段５０Ｄに記憶されている場合について説明する。
【０１１７】
感光体ドラム１Ｄは、帯電装置２ＤによりＶｄ＝−７００Ｖに均一帯電される。スキャナ３Ｄにより、画像領域はシアン画像データに基づいたレーザ露光が行われる、かつ非画像領域は、検知結果に基づいたレーザ光量として、図１２に示すグラフから算出される所定の０．１μＪ／ｃｍ２の光量で弱露光が行われる。弱露光された非画像領域は、Ｖｄ＝−５５０Ｖに均一帯電される。
【０１１８】
上述と同様のプロセスにより、感光体ドラム１Ｄの静電潜像を現像し、ブラックトナー
像として可視化され、感光体ドラム１Ｄの回転駆動により、対向する転写ローラ１０Ｄとの転写部に搬送される。同時に静電搬送ベルト９により、シアントナー像、イエロートナー像及びマゼンタトナー像を転写された転写材５が、転写部に搬送される。転写ローラ１０Ｄには、転写バイアスＶｔｒ＝１２００Ｖが印加される。これにより、感光体ドラム１Ｃに接触する転写材５上のシアントナー、イエロートナー及びマゼンタトナーが重ね合わせられたトナー像と重ね合わせて、ブラックトナー像が転写される。
【０１１９】
４色のトナー像が転写された転写材５は、静電搬送ベルト９から分離され、定着装置１１により定着され、機外に排出される。
【０１２０】
上記画像形成装置Ｃにおいては、画像形成装置が備える着脱可能なプロセスカートリッジを交換した場合であっても、プロセスカートリッジに設けられた記憶手段から現像手段の寿命に関する情報を読み取ることで、非画像領域での露光条件が変動した場合であっても非画像領域の電位を適正な値にすることでカブリの発生を抑止でき、像担持体から搬送部材へのトナーの転移を軽減することが可能となる。その結果、静電搬送ベルトのカブリトナーによる汚染を防止若しくは低減することができる。特に、サイズ幅の狭いハガキ、封筒を通紙した場合においても、静電搬送ベルトがカブリトナーで汚染されることを防止若しくは低減することができる。そのため、サイズ幅の狭いハガキや封筒に画像形成した直後に、サイズ幅の広いＡ４定形紙等を通紙してもその裏面を汚染することを防止若しくは低減することができる。
【０１２１】
また、ベルトクリーニング手段を設けて搬送ベルト上のカブリを別途回収する必要がなく、簡易な構成の画像形成装置を提供することができる。また、ベルトクリーニングシーケンスによる生産性の低下がなく、ユーザビリティ上好ましい画像形成装置を提供することができる。
【０１２２】
以上、本発明を上述の各実施例を参照して説明してきたが、本発明は上述の各実施例に限定されるものではなく、可能な限り変形し、組み合わせて構成しても良いことはいうまでもない。
【０１２３】
また、各実施例においては、像担持体と帯電手段と露光手段と現像手段とを複数組備え、転写材上でトナー像を順次重ね合わせて多色画像を形成する画像形成装置について説明したが、本発明は、像担持体と帯電手段と露光手段と現像手段とを一組しか有さないモノクロ画像を形成する画像形成装置であっても適用できる。
【０１２４】
また、各実施例においては、非磁性一成分接触現像方式について説明したが、本発明は、磁性一成分現像方式や磁性二成分現像方式等の他の現像方式であっても適用できる。また、複数色の画像形成装置だけでなくモノクロの画像形成装置であっても適用できることはいうまでもない。
【図面の簡単な説明】
【０１２５】
【図１】実施例１に係る画像形成装置の概略断面図である。
【図２】実施例１に係る現像装置の概略断面図である。
【図３】実施例１に係る画像形成動作時の感光体ドラム表面電位を模式的に示した図である。
【図４】実施例１に係る画像形成装置における感光体ドラム表面の帯電電位とカブリトナー量との関係を示すグラフである。
【図５】実施例１に係る画像形成装置における露光量と感光体ドラム表面の帯電電位量との関係を示すグラフである。
【図６】実施例２に係る画像形成装置の概略断面図である。
【図７】実施例２に係る画像形成装置の各相対湿度における、感光体ドラム表面の帯電電位とカブリトナー量との関係を示すグラフである。
【図８】実施例２に係る画像形成装置における露光量と感光体ドラム表面の帯電電位量との関係を示すグラフである。
【図９】実施例２に係る画像形成装置における露光量と相対湿度との関係を示すグラフである。
【図１０】実施例３に係る画像形成装置の概略断面図である。
【図１１】実施例３に係る画像形成装置が備える現像ローラの各回転数における、感光体ドラム表面の帯電電位とカブリトナー量との関係を示すグラフである。
【図１２】実施例３に係る画像形成装置における露光量と現像ローラ回転時間との関係を示すグラフである。
【符号の説明】
【０１２６】
１  感光体ドラム（像担持体）
２  帯電装置（帯電手段）
３  スキャナ（露光手段）
４  現像装置（現像手段）
５  転写材
６  静電搬送転写装置
８  プロセスカートリッジ
９  静電搬送ベルト（搬送部材）
１０  転写ローラ
１１  定着装置
２１  現像容器
２２  トナー
２３  現像ローラ
４０  湿度センサ
５０  記憶手段
５１  読み取り手段
Ａ、Ｂ、Ｃ  画像形成装置
【図１】
2006221048.tif 000003
【図２】
2006221048.tif 000004
【図３】
2006221048.tif 000005
【図４】
2006221048.tif 000006
【図５】
2006221048.tif 000007
【図６】
2006221048.tif 000008
【図７】
2006221048.tif 000009
【図８】
2006221048.tif 000010
【図９】
2006221048.tif 000011
【図１０】
2006221048.tif 000012
【図１１】
2006221048.tif 000013
【図１２】
2006221048.tif 000014